(57)【特許請求の範囲】
【請求項１】
板状体に基礎のアンカーボルトを挿通させるボルト孔が形成された土台スペーサにおいて、
上記板状体はほぼ正四角形とされ、
上記ボルト孔は、板状体の中心部分に形成された中心部と、
板状体の１つの辺側に中心部を延長して形成された延長部と、
該延長部の横に延長部に連絡して形成された付属部とによってＬ字状に構成されたことを特徴とする土台スペーサ。
【請求項２】
付属部はほぼ正四角形とされたことを特徴とする請求項１記載の土台スペーサ。
【請求項３】
板状体に基礎のアンカーボルトを挿通させるボルト孔が形成された土台スペーサにおいて、
上記板状体は長方形とされ、
上記ボルト孔は、板状体の中心部分に形成された中心部と、
板状体の一方の短辺側に中心部を延長して形成された延長部と、
上記中心部及び延長部の横にそれらに連結し、かつ一端を中心部から他方の短辺側に突出させて形成された付属部とによって構成されたことを特徴とする土台スペーサ。
【請求項４】
延長部の端部が付属部の他端から一方の短辺側に突出されたことを特徴とする請求項３記載の土台スペーサ。
【請求項５】
板状体の下面におけるボルト孔の周縁が外広りの傾斜面とされたことを特徴とする請求項１ないし４のいずれか１つに記載の土台スペーサ。
【請求項６】
板状体に上下に貫通して複数の貫通孔が形成されたことを特徴とする請求項１ないし５のいずれか１つに記載の土台スペーサ。
【発明の詳細な説明】
【０００１】
【発明の属する技術分野】
本発明は、布基礎と土台との間に介在され、これらを離間させて換気隙間を形成する土台スペーサ（土台パッキン）に関するものである。
【０００２】
【従来の技術】
周知なように、軸組構造の家屋は、コンクリート製の布基礎の上に木製土台を載置し、この土台に柱を固定することによって組み立てられる。このような軸組構造においては、布基礎と土台との間に土台スペーサが介在させられる。この土台スペーサは、板状体に布基礎のアンカーボルトを挿通させるボルト孔を形成した構造を基本とする。
【０００３】
ところで、土台スペーサは面積が大きいほど安全性が高く、よってボルト孔をあまり大きくしたくない。しかしボルト孔が小さいと位置や寸法上の誤差に対応できなくなり、アンカーボルトとの取り合いが難しくなる。
【０００４】
従来の土台スペーサは、ボルト孔が板状体にほぼ点対称に形成されていたため、アンカーボルトとの取り合いが悪いとどのように工夫しても対応しきれず、仕方なく土台スペーサを切断したり、ボルト孔の近くに孔をあけたり、その部分だけ別形状の土台スペーサを使用したりしなければならず、体裁が損なわれるほか、手間がかかる。
【０００５】
そこで、本発明の出願人は、板状体に十字状のボルト孔を板状体の中心に対して非対称に形成し、基準となる向きから板状体を１８０度回転させて同一の位置に配置したとき、回転前における上記ボルト孔以外の部位に回転後のボルト孔が重なる構成とした土台スペーサを開発した（特開平１０−２９２５０１号公報）。
【０００６】
この新しい土台スペーサによれば、アンカーボルトとの取り合いが良好で、土台スペーサの回転操作等により、板状体の切断や追加穿孔等を行うことなく、位置や寸法上の誤差を吸収して土台スペーサを基礎と土台との間に装着することができる。
【０００７】
【発明が解決しようとする課題】
しかし、ボルト孔の形状が複雑になるとともに大きくなる傾向があり、その分土台スペーサの面積が小さくなって安全性が低下する不満がある。
【０００８】
本発明は、ボルト孔の形状が比較的単純で小さく、アンカーボルトとの取り合いと安全性の良好な土台スペーサを提供することを目的とする。
【０００９】
【課題を解決するための手段】
上記の目的を達成するために、請求項１記載の発明は、板状体に基礎のアンカーボルトを挿通させるボルト孔が形成された土台スペーサにおいて、上記板状体をほぼ正四角形とし、上記ボルト孔を、板状体の中心部分に形成された中心部と、板状体の１つの辺側に中心部を延長して形成された延長部と、該延長部の横に延長部に連絡して形成された付属部とによってＬ字状にした構成とした。
【００１０】
この手段では、基礎のアンカーボルトの位置がボルト孔に一致しない場合、板状体の中心、つまりボルト孔の中心部を中心に、土台スペーサを９０度か１８０度或いは２７０度回転させる。これにより、ボルト孔の延長部と付属部は中心部の周囲に回転してその位置を移動させる。この結果、アンカーボルトの取り合いを可能にする挿通領域が、延長部と中心部の和に４を乗じこれに中心部を加えた広い面積となり、アンカーボルトの位置ずれや基礎の幅方向のずれ等に幅広く対応することができる。ボルト孔はＬ字状で単純であり、比較的小さくすることが可能である。
【００１１】
請求項１記載の土台スペーサにおいて、付属部をほぼ正四角形とすることが好ましい（請求項２）。
この構成では、付属部の幅の２倍と中心部の＊幅の和を辺とするほぼ正四角形の領域が、アンカーボルトの挿通を可能にする挿通領域となる。この場合、延長部と付属部は、板状体の０度、９０度、１８０度、２７０度の回転位置において必要以上余分に重なることがないので、最小形状のボルト孔で大きい挿通領域が合理的に得られる。
【００１２】
請求項３記載の発明は、板状体に基礎のアンカーボルトを挿通させるボルト孔が形成された土台スペーサにおいて、上記板状体を長方形とし、上記ボルト孔を、板状体の中心部分に形成された中心部と、板状体の一方の短辺側に中心部を延長して形成された延長部と、上記中心部及び延長部の横にそれらに連結し、かつ一端を中心部から他方の短辺側に突出させて形成された付属部とによって構成した。
【００１３】
この手段では、基礎のアンカーボルトの位置がボルト孔に一致しないときは、板状体の中心、つまりボルト孔の中心部を中心に、土台スペーサを１８０度回転させる。これにより、ボルト孔の延長部と付属部は中心部の周囲に回転してその位置を移動させる。この結果、アンカーボルトの挿通領域が、延長部と付属部の和に２を乗じこれに中心部を加えた広い面積となり、この場合もアンカーボルトの位置ずれ等に幅広く対応することができる。ボルト孔の形状は単純であり、比較的小さくすることができる。
また、延長部と付属部は、板状体の０度と１８０度の回転位置において必要以上余分に重なることはなく、したがって最小形状のボルト孔で大きい挿通領域が合理的に得られる。
【００１４】
請求項３記載の土台スペーサにおいて、延長部の端部を付属部の他端から一方の短辺側に突出させることができる（請求項４）。
この構成では、土台スペーサの長手方向の中心線に沿う挿通領域が延長部の突出分長くなる。
【００１５】
請求項１ないし４のいずれか１つに記載の土台スペーサにおいて、板状体の下面におけるボルト孔の周縁を外広りの傾斜面とすることが好ましい（請求項５）。
この構成では、アンカーボルトの周囲にモルタルが円錐状に盛り上がっていることがあっても、土台スペーサを正しい状態で支障なく基礎に設置するこができる。
【００１６】
請求項１ないし５のいずれか１つに記載の土台スペーサにおいて、板状体に上下に貫通して複数の貫通孔を形成することが好ましい（請求項６）。
この構成では、必要に応じ、貫通孔から釘を土台に打ち込んで、土台スペーサを土台の所定個所にあらかじめ固定しておくことができる。
【００１７】
【発明の実施の形態】
発明の実施の形態を添付図面を参照して説明する。
図１ないし図４は本発明に係る土台スペーサの実施の形態を示す。この土台スペーサＡは、板状体１に、ボルト孔１ａと、貫通孔１ｂ、凹部１ｃ、及び突起１ｄを設けて成る。
【００１８】
板状体１は、例えば、耐候性ポリプロピレン５０％に粉状の無機質充填材（炭酸カルシウム）５０％を配合した樹脂製であり、射出成形によって正四角形に形成されている。
【００１９】
ボルト孔１ａは、コンクリート基礎（布基礎）３に埋設されたアンカーボルト４を板状体１の下から上に挿通させるものであり、中心部１ａｏ（便宜的に斜線で示す）と延長部１ａｅ（同じく、点で示す）及び付属部１ａｆ（斜線で示す）とによって構成されている。
【００２０】
中心部１ａｏは板状体１の中心部分に形成され、延長部１ａｅは板状体１の１つの辺（図１では左辺）側に中心部１ａｏを延長して形成され、また付属部１ａｆは延長部１ａｅの横（図１では上）に連絡して形成されており、ボルト孔１ａの平面形状をＬ字状にしている。ボルト孔１ａは板状体１の中心に対して非対称である。
【００２１】
付属部１ａｆの基本形状は四角形とされ、丸いアンカーボルト４の挿通を目的とする関係で内角部分は円弧状となっている。また板状体１の使用状態での下面におけるボルト孔１ａの周縁が、アンカーボルト４周辺のコンクリートの不陸を吸収するために外広りの傾斜面１ａｋとされている。
【００２２】
貫通孔１ｂは、土台スペーサＡの土台（図示せず）に対する釘打ちを可能にするもので、ボルト孔１ａの近くに９０度の間隔で２個形成されている。貫通孔１ｂの下端には円形の窪み１ｅが形成されており、自動釘打ち機で釘打ちできるようになっている。
【００２３】
凹部１ｃは、基礎３の上面の凹凸や傾斜を吸収して基礎３に対する板状体１の座りを良くするとともに、板状体１を軽量化するものであり、板状体１の下面に各部位に適合した平面形状で多数設けられている。
【００２４】
突起１ｄは土台の下面に食い込んで土台に対する板状体１の横ずれを防止するもので、板状体１上面の４隅に突設されている。
板状体１下面の隅部１ｆは、応力集中を逃すために面取りされている。
【００２５】
上記の構成とされた土台スペーサＡは、凹部１ｃが形成された板状体１の面を下にするとともにボルト孔１ａに基礎３のアンカーボルト４を挿通させて基礎３の上に、基礎１の長手方向（図１で左右方向）に換気隙間となるに一定の間隔を開けて必要数載置し、その上に土台を載せてアンカーボルト４で固定する。
【００２６】
この場合、凹部１ｃが基礎３上面の凹凸等の変形を吸収するとともにボルト孔１ａの傾斜面１ａｋはアンカーボルト４の周囲に山状になっているコンクリートの盛上り吸収し、また突起１ｄが土台に食い込むため、土台スペーサＡは基礎３と土台の間に安定よく収まる。組立作業の手順や工法によっては、貫通孔１ｂから釘を土台に打ち込んで土台スペーサａを土台の所定位置に前もって固定する。
【００２７】
上記において、アンカーボルト４の位置が何等かの事情で設計位置からずれていてボルト孔１ａから外れた部分にあった場合は、土台スペーサＡを中心部１ａｏを中心に、９０度、１８０度、２７０度のいずれかの角度回転させて正しい状態にする。
【００２８】
土台スペーサＡの上記回転操作によってボルト孔１ａは図１の実線の状態から２点鎖線のように回転するので、アンカーボルト４の位置ずれを、（中心部１ａｏの幅ｗ1 プラス延長部１ａｅの延長幅Ｗ2 プラス付属部１ａｆの幅Ｗ2 ）を１辺とするほぼ正四角形、つまり｛（Ｗ1 ×Ｗ2 ）＋（Ｗ2 ×Ｗ2 ）｝×４＋（Ｗ1 ×Ｗ1 ）の広い挿通領域で吸収することができる。
【００２９】
前述のように、付属部１ａｆは正四角形であるため、図１から分るように、上記の調整回転において、延長部１ａｅと付属部１ａｆは他の回転位置の延長部１ａｅと付属部１ａｆに重ならず、かつ欠損を生じることなく連なるので、最小面積のボルト孔１ａでアンカーボルト４の位置ずれをきわめて合理的に吸収することができる。
【００３０】
但し、アンカーボルト４が土台スペーサＡの４つの回転位置におけるボルト孔１ａの連続位置（例えば、図１のｘ位置）にあった場合、土台スペーサＡをアンカーボルト４の半径分横移動させなければならないが、これは許容誤差とする。これを避けるためには、土台スペーサＡの４つの回転位置においてボルト孔１ａがアンカーボルトの直径分重なるようにする。
したがって、本発明において、付属部１ａｆや板状体１の正四角形の意味には上記の誤差が含まれる。
【００３１】
図５ないし図８は本発明に係る土台スペーサの他の実施の形態を示す。この土台スペーサＢの板状体１は、短辺と長辺の比を２対３とした長方形とされ、またボルト孔１ａは、板状体１の中心部分に形成した中心部１ａｏと、板状体１の一方（図１で左方）の短辺側に中心部１ａｏを延長して形成した延長部１ａｅと、中心部１ａｏと延長部１ａｅの横（図５では上）にそれらに連結し、かつ一端を中心部１ａｏから他方（図１で右方）の短辺側に突出させるとともに他端を延長部１ａｅの端部よりも中心部１ａｏ側に配して（逆に言えば、延長部１ａｅの端部が付属部１ａｆの他端から一方の短辺側に突出している。）形成した付属部１ａｆとによって構成されている。土台スペーサＢの付属部１ａｆは、板状体１ａの長手方向の中心線から左右に同一寸法形成されている。
【００３２】
他の構造は、土台スペーサＡと同じであるので、同一の部分等に同一の符号を付してその説明を省略する。
【００３３】
この土台スペーサＢにおいては、アンカーボルト４の位置がボルト孔１ａから外れた部分にあった場合、土台スペーサＢを中心部１ａｏを中心に１８０度回転させて正しい状態にする。
【００３４】
土台スペーサＢの上記回転操作によってこの場合もボルト孔１ａは図５の実線の状態から２点鎖線のように回転するので、アンカーボルト４の位置ずれを、延長部１ａｅと付属部１ａｆの和に２を乗じこれに中心部１ａｏを加えた広い挿通領域で吸収することができる。
また、延長部１ａｅが付属部１ａｆから短辺側に突出しているので、土台スペーサＢの長手方向の挿通領域が大きくなり、調整しやすくなる。なお、延長部１ａｅの端部を付属部１ａｆの他端から一方の短辺側に突出させない場合もある。
【００３５】
図の土台スペーサＡの板状体１の大きさは、１００ｍｍ×１００ｍｍ×２０ｍｍ（厚さ）、下（裏）面積；５２．９ｃｍ2 、ボルトト孔１ａのＷ1 ：１７ｍｍ、Ｗ2 ；２１．５ｍｍとされ、また土台スペーサＢの場合は、板状体１の大きさ：１００ｍｍ×１５０ｍｍ×２０ｍｍ（厚さ）、下面積；６７．９ｃｍ2 、ボルト孔１ａのＷ1 （図５参照）；１７ｍｍ、Ｗ2 ；２１．５ｍｍ、Ｗ3 ；４４．５ｍｍ、Ｗ4 ；７５ｍｍとされているが、いずれも、１２ｍｍ径のアンカーボルト４を埋設した、幅が約１００ｍｍ以上の基礎３を対象としたものであって、アンカーボルト４や基礎３の寸法等によって材質などとともに設計変更されるので、上記に限られるものではない。板状体１ａの上面に、前述の特開平１０−２９２５０１号公報のように、通気溝を形成することもある。また、土台スペーサＡの付属部１ａｆを場合によっては正四角形にしないこともあり得る。
【００３６】
【発明の効果】
以上説明したように、請求項１又は３記載の発明によれば、アンカーボルトとの取り合いが容易で、しかも安全性の良好な土台スペーサが得られる。
【００３７】
請求項１記載の土台スペーサにおいて、付属部をほぼ正四角形とすると、最小形状のボルト孔で大きい挿通領域が合理的に得られ、アンカーボルトとの取り合いと安全性が一層向上する効果がある。
【００３８】
請求項３記載の土台スペーサにおいて、延長部の端部を付属部の他端から一方の短辺側に突出させた構成とすると、土台スペーサの長手方向の中心線に沿う挿通領域が長くなるので、アンカーボルトとの取り合いが一層良好になる。
【００３９】
請求項１ないし４記載の土台スペーサにおいて、板状体の下面におけるボルト孔の周縁を外広りの傾斜面とした場合は、アンカーボルトの周囲にモルタルが盛り上がっているようなことがあっても、それの影響を受けずに土台スペーサを基礎の上に支障なく安定させることができる。
【００４０】
請求項１ないし５記載の土台スペーサにおいて、板状体に上下に貫通して複数の貫通孔を形成した構成とすると、土台スペーサを必要に応じて土台の下面に前もって釘付けすることができ、作業性が向上する。
【図面の簡単な説明】
【図１】  本発明に係る土台スペーサの実施の形態を示す平面図である。
【図２】  図１の土台スペーサの下面図である。
【図３】  図１の土台スペーサの正面図である。
【図４】  図２の（IV-IV）部分の断面図である。
【図５】  本発明に係る土台スペーサの他の実施の形態を示す平面図である。
【図６】  図５の土台スペーサの下面図である。
【図７】  図５の土台スペーサの正面図である。
【図８】  図７の（VIII-VIII）部分の断面図である。
【符号の説明】
Ａ，Ｂ  土台スペーサ                １  板状体
１ａ  ボルト孔                      １ａｏ  中心部
１ａｅ  延長部                      １ａｆ  付属部
１ａｋ  傾斜面                      １ｂ  貫通孔
１ｃ  凹部                          １ｄ  突起
１ｅ  窪み                          １ｆ  隅部
３  基礎                            ４  アンカーボルト
【図１】
0003701545.tif 000002
【図２】
0003701545.tif 000003
【図３】
0003701545.tif 000004
【図４】
0003701545.tif 000005
【図５】
0003701545.tif 000006
【図６】
0003701545.tif 000007
【図７】
0003701545.tif 000008
【図８】
0003701545.tif 000009